(57)【要約】【課題】  積層された複数の電子モジュールに挿入される全てのコネクタについて抜けを確実に防止できるコネクタ用部品を提供する。【解決手段】  コネクタ４２とコネクタ４３との間に配置され、コネクタ４３に電子モジュールの積層方向の動きを規制されることによってコネクタ４２の抜けを規制するインターポーザ６０である。【選択図】  図６
2008277141.tif 000002
【特許請求の範囲】
【請求項１】
第１の電子モジュールと、該第１の電子モジュールに積層された第２の電子モジュールと、該第１の電子モジュールに積層方向に挿入される第１のコネクタと、該第２の電子モジュールに積層方向に挿入される第２のコネクタと、該第１および該第２の電子モジュールを収容する筐体とを有し、前記筐体は、前記第２の電子モジュールに対面する主面を有し、該主面には、前記第２のコネクタの抜けを規制する突出部が形成されている電子機器に適用されるコネクタ用部品であって、
前記第１および前記第２のコネクタ間に配置され、該第２のコネクタに積層方向の動きを規制されることによって該第１のコネクタの抜けを規制することを特徴とするコネクタ用部品。
【請求項２】
前記第１または前記第２のコネクタに装着される請求項１に記載のコネクタ用部品。
【請求項３】
前記第１または前記第２のコネクタと一体に形成されている請求項１に記載のコネクタ用部品。
【請求項４】
請求項１乃至３のいずれか１つに記載の前記コネクタ用部品と、前記第１および前記第２のコネクタとを有するコネクタシステム。
【請求項５】
前記第１のコネクタと前記第２のコネクタとは、電気的に接続されている請求項４に記載のコネクタシステム。
【請求項６】
前記第１のコネクタと前記第２のコネクタとは、互いに同じ形状を呈する請求項４または５に記載のコネクタシステム。
【請求項７】
請求項４乃至６のいずれか１つに記載の前記コネクタシステムと、前記第１および前記第２の電子モジュールと、前記筐体とを有する電子機器。
【発明の詳細な説明】
【技術分野】
【０００１】
本発明は、積層された基板等の複数の電子モジュールと、これら電子モジュールそれぞれに積層方向に挿入されるコネクタと、これら電子モジュールを収容する筐体とを有する電子機器に適用されるコネクタ用部品に関する。
【背景技術】
【０００２】
図１、図２、ならびに図３（ａ）および（ｂ）を参照すると、上述した電子機器の一例は、積層配置された複数の電子モジュールとしてのＬＣＤモジュール２０、取付用板金５０、および制御回路基板３０と、取付用板金５０の端部に形成された切欠部５２を利用してＬＣＤモジュール２０に設けられたコネクタに積層方向に抜去可能に挿入されるコネクタ４２と、制御回路基板３０の板面に設けられたコネクタに積層方向に抜去可能に挿入されるコネクタ４３と、液晶ディスプレイモジュール（ＬＣＤ（Liquid Crystal Display）モジュール）２０、取付用板金５０、および制御回路基板３０を収容するフロントケース１１およびリアケース１２から成る筐体とを有している。
【０００３】
コネクタ４２とコネクタ４３とはフラットケーブル４１を介して接続されており、ケーブルコネクタ４０として構成されている。よって、制御回路基板３０とＬＣＤモジュール２０とは、ケーブルコネクタ４０を介して、電気的に接続されている。
【０００４】
電子機器の正面に相当するフロントケース１１の主面には、ウィンドゥ１３が形成されており、ＬＣＤモジュール２０の表示内容が視認可能になっている。
【０００５】
コネクタ４２および４３をも含め、コネクタは、一般に、電子機器の組み立て、修理、メインテナンスのために、抜去可能になっている。反面、電子機器を使用していく上で、電子機器に振動、衝撃等の外力が加わることは不可避であるため、不用意に抜けて、接触不良を起こす可能性がある。したがって、コネクタには、容易に抜けてしまわぬように、ロック手段が設けられる。
【０００６】
しかし、コネクタ４２および４３は、電子機器の小型、軽量化や、低コスト化の目的から、電子モジュールに備えられている相手コネクタとの間で、いずれか一方が可撓性を有する凹部と凸部との組み合わせからなる簡易的なロック手段しか具備していない。このため、電子機器を使用していく上で、電子機器に振動、衝撃等の外力が加わった際に、コネクタ４２および４３が電子モジュールから抜け、接触不良を起こす虞がある。
【０００７】
図示した上述の電子機器においては、コネクタの抜けを防止するために、リアケース１２の内側主面に、リブ１２２（ボスであってもよい）を備えている。これにより、リアケース１２がフロントケース１１に固定されると、リブ１２２がコネクタ４３に当接する。よって、電子機器に振動、衝撃等の外力が加わったとしても、コネクタ４３が制御回路基板３０から抜けることがない。
【０００８】
尚、特許文献１には、スタッキングコネクタのロック機構が開示されている。
【０００９】
【特許文献１】特開平１−１６３９８０号公報
【発明の開示】
【発明が解決しようとする課題】
【００１０】
しかし、コネクタ４２に対しては、コネクタ４３に対するリブ１２２のような策はとられていない。これは、リアケース１２の内側主面から遠い位置にあるコネクタ４２に到達するような高背のリブまたはボスを設けることが、設計上、製造上、および組み立て作業性の点から不利であるからである。このため、コネクタ４２は、電子機器に振動、衝撃等の外力が加わった際にＬＣＤモジュール２０から抜ける虞がある。
【００１１】
尚、フラットケーブル４０を長くしてコネクタ４２をリアケース１２の内側主面に近い所に配置し、コネクタ４３に対するものと同様の策をとることも考えられるが、ノイズや信号ロス対策等の電気的な理由やコストの点から、ケーブルは可及的短い方が有利である。このため、コネクタ４２の位置変更は、得策ではない。
【００１２】
それ故、本発明の課題は、積層された複数の電子モジュールに挿入される全てのコネクタについて抜けを確実に防止できるコネクタ用部品を提供することである。
【００１３】
本発明の他の課題は、そのようなコネクタ用部品を有するコネクタシステムを提供することである。
【００１４】
本発明のさらに他の課題は、そのようなコネクタシステムを有する電子機器を提供することである。
【課題を解決するための手段】
【００１５】
本発明によれば、第１の電子モジュールと、該第１の電子モジュールに積層された第２の電子モジュールと、該第１の電子モジュールに積層方向に挿入される第１のコネクタと、該第２の電子モジュールに積層方向に挿入される第２のコネクタと、該第１および該第２の電子モジュールを収容する筐体とを有し、前記筐体は、前記第２の電子モジュールに対面する主面を有し、該主面には、前記第２のコネクタの抜けを規制する突出部が形成されている電子機器に適用されるコネクタ用部品であって、前記第１および前記第２のコネクタ間に配置され、該第２のコネクタに積層方向の動きを規制されることによって該第１のコネクタの抜けを規制することを特徴とするコネクタ用部品が得られる。
【００１６】
前記コネクタ用部品は、前記第１または前記第２のコネクタに装着されるものであってもよい。また、前記コネクタ用部品は、前記第１または前記第２のコネクタと一体に形成されているものであってもよい。
【００１７】
本発明によればまた、前記コネクタ用部品と、前記第１および前記第２のコネクタとを有するコネクタシステムが得られる。
【００１８】
前記第１のコネクタと前記第２のコネクタとは、電気的に接続されていてもよい。また、前記第１のコネクタと前記第２のコネクタとは、互いに同じ形状を呈していてもよい。
【００１９】
本発明によればさらに、前記コネクタシステムと、前記第１および前記第２の電子モジュールと、前記筐体とを有する電子機器が得られる。
【発明の効果】
【００２０】
本発明によるコネクタ用部品は、積層された略板状を呈する複数の電子モジュールに挿入される全てのコネクタについて抜けを確実に防止できる。
【発明を実施するための最良の形態】
【００２１】
以下、本発明によるコネクタ用部品、コネクタシステム、および電子機器の実施形態について、図面を参照して詳細に説明する。
【００２２】
図４（ａ）および（ｂ）、図５（ａ）および（ｂ）、ならびに図６（ａ）〜（ｃ）を参照すると、本実施形態によるコネクタ用部品であるインターポーザ６０は、電子モジュールとしてのＬＣＤモジュール２０と、ＬＣＤモジュール２０に取付用板金５０を介して積層された電子モジュールとしての制御回路基板３０と、ＬＣＤモジュール２０に積層方向に抜去可能に挿入されるコネクタ４２と、御回路基板３０に積層方向に抜去可能に挿入されるコネクタ４３と、ＬＣＤモジュール２０を収容する筐体とを有する電子機器に適用されるコネクタ用部品である。この電子機器は、具体的には、例えば、ＰＯＳ（Point Of Sales）端末や多機能電話機に用いられる小型のディスプレイ装置である。
【００２３】
コネクタ４２とコネクタ４３とはフラットケーブル４１を介して接続されており、ケーブルコネクタ４０として構成されている。よって、制御回路基板３０とＬＣＤモジュール２０とは、ケーブルコネクタ４０を介して、電気的に接続されている。尚、コネクタ４２とコネクタ４３とは、互いに同じ形状を呈している。
【００２４】
上記筐体は、フロントケース１１およびリアケース１２から成っている。フロントケース１１の主面には、ウィンドゥ１３が形成されており、ＬＣＤモジュール２０の表示内容が視認可能になっている。
【００２５】
リアケース１２は、御回路基板３０に対面する主面を有している。この主面には、コネクタ４３の抜けを規制する突出部としてのリブ（ボスであってもよい）１２２が形成されている。
【００２６】
以上のように、本発明によるインターポーザ６０が適用される電子機器は、図１、図２、ならびに図３（ａ）および（ｂ）に示された従来の電子機器と同様のものである。
【００２７】
さて、インターポーザ６０は、コネクタ４２とコネクタ４３との間に配置され、リブ１２２によって抜けが規制されたコネクタ４３により電子モジュールの積層方向の動きを規制されることによってコネクタ４２の抜けを規制するものである。即ち、本電子機器が組み立てられることにより、コネクタ４３がリアケース１２のリブ１２２によって抜けが規制されるが、これと同時に、コネクタ４２の抜けも規制される。
【００２８】
インターポーザ６０は、コネクタ４３に容易には外れないように装着されている。これにより、本電子機器の組み立て途中に、インターポーザ６０が配置されるべき所定の位置からズレたり、落下してしまうことがない。尚、インターポーザ６０は、コネクタ４２に装着されるか、あるいは、コネクタ４２またはコネクタ４３と一体に形成されているものであってもよい。
【００２９】
ケーブルコネクタ４０と、インターポーザ６０との組み合わせは、電子機器の筐体による抜けの規制の助けを得て、コネクタ４２および４３全ての抜けを防止する機能を有するコネクタシステムといえる。
【００３０】
以上説明した本電子機器の組み立て手順は、おおよそ次の通りである。
【００３１】
まず、作業台上に、フロントケース１１をそのウィンドゥ１３を下にして載置する。
【００３２】
次に、フロントケース１１内に、ＬＣＤモジュール２０を載置し、ネジ等によって固定する。
【００３３】
ＬＣＤモジュール２０上に、取付用板金５０を、スペーサ５５を介して載置し、ネジ等によって固定する。
【００３４】
さらに、取付用板金５０上に、スペーサ５５を介して制御回路基板３０を、載置し、ネジ等によって固定する。尚、制御回路基板３０を取付用板金５０上にスペーサ５５を介して固定してなるアセンブリを、ＬＣＤモジュール２０上にスペーサ５５を介して載置および固定してもよい。
【００３５】
別途用意したケーブルコネクタ４０のコネクタ４２を、取付用板金５０の端部に形成された切欠部５２を利用して、ＬＣＤモジュール２０に設けられたコネクタに電子モジュールの積層方向に挿入する。続いて、ケーブルコネクタ４０のコネクタ４３を、制御回路基板３０に設けられたコネクタに電子モジュールの積層方向に挿入する。ここで、コネクタ４３には、前もってインターポーザ６０が装着されている。したがって、コネクタ４３の挿入によって、コネクタ４２とコネクタ４３との間にインターポーザ６０が介在した状態となる。
【００３６】
最後に、フロントケース１１上に、リアケース１２を載置および固定する。
【００３７】
以上のようにして、電子機器が組み立てられる。
【００３８】
フロントケース１１にリアケース１２が固定されることにより、リアケース１２に形成されたリブ１２２がコネクタ４３に当接し、コネクタ４３の抜けが規制される。これと同時に、インターポーザ６０がコネクタ４３によって積層方向の動きを規制されることにより、コネクタ４２の抜けも規制される。
【産業上の利用可能性】
【００３９】
以上説明した実施例に限定されることなく、本発明は、当該特許請求の範囲に記載された技術範囲内であれば、種々の変形が可能であることは云うまでもない。
【図面の簡単な説明】
【００４０】
【図１】電子機器の一例の斜視図である。
【図２】図１に示された電子機器の筐体の一部を透視的に示す斜視図である。
【図３】図３（ａ）は図１に示された電子機器の正面図、図３（ｂ）は図３（ａ）における切断線３Ｂ−３Ｂに沿った断面図、図３（ｃ）は図３（ｂ）の一部を示す拡大図である。
【図４】本発明の実施形態によるコネクタ用部品が適用された電子機器の筐体の一部を透視的に見た斜視図である。
【図５】図５（ａ）は図４に示された電子機器の筐体の一部を破断して示す分解斜視図であり、図５（ｂ）は図５（ａ）の一部を示す拡大図である。
【図６】図６（ａ）は図４に示された電子機器の正面図、図６（ｂ）は図６（ａ）における切断線６Ｂ−６Ｂに沿った断面図、図６（ｃ）は図６（ｂ）の一部を示す拡大図である。
【符号の説明】
【００４１】
１１        フロントケース
１２        リアケース
１３        ウィンドゥ
１２２      リブ
２０        ＬＣＤモジュール
３０        制御回路基板
４０        ケーブルコネクタ
４１        フラットケーブル
４２、４３  コネクタ
５０        取付用板金
６０        インターポーザ
【図１】
2008277141.tif 000003
【図２】
2008277141.tif 000004
【図３】
2008277141.tif 000005
【図４】
2008277141.tif 000006
【図５】
2008277141.tif 000007
【図６】
2008277141.tif 000008